(57)【要約】  【課題】  感圧転写層を被修正部分に正確に転写することが可能で、しかも、修正操作終了後直ぐに再筆記可能な感圧転写修正テープを提供する。また、転写具を使用する際の被修正部分に対する転写終了位置の確認が容易で、細かい部分に感圧転写層を正確に転写することができる転写具を提供する。  【解決手段】  透明シート状支持体２の片面に、直接又は離型層を介して、隠蔽性顔料５ａ及びバインダー樹脂６を含む第１修正被覆層３ａ、多孔性粒子５ｂ及びバインダー樹脂６を含む第２修正被覆層３ｂ、および粘着層４が順次積層されてなり、第１修正被覆層と第２修正被覆層との厚み比が１：３〜１：４０の範囲で、かつ、修正被覆層の総厚みが１１〜６０μｍで、第２修正被覆層に揮発性の液体を吸液させると透明化又は半透明化する感圧転写修正テープ、および、前記修正テープを装着した転写具。【選択図】  図１
2006068962.tif 000002
【特許請求の範囲】
【請求項１】
透明シート状支持体の片面に、直接又は離型層を介して修正被覆層と粘着層が順次積層されてなる感圧転写層を有する感圧転写修正テープであって、前記修正被覆層が、隠蔽性顔料及びバインダー樹脂を含む第１修正被覆層（支持体側）と、多孔性粒子及びバインダー樹脂を含み、揮発性の液体を吸液すると透明化又は半透明化する第２修正被覆層（粘着層側）とから構成されてなり、前記第１修正被覆層と第２修正被覆層との厚み比が１：３〜１：４０の範囲で、かつ、修正被覆層の総厚みが１１〜６０μｍであることを特徴とする感圧転写修正テープ。
【請求項２】
転写具容器内に内蔵されると共に、互いに噛合する供給ギアと巻き取りギアとの駆動により、前記転写具の先端に配設される転写ヘッドに対して、供給リールカラーに巻回される未使用の感圧転写修正テープを送り出し巻き取りリールカラーに巻回する転写具であって、前記転写ヘッドが透明又は半透明であり、請求項１記載の感圧転写修正テープを装着してなることを特徴とする転写具。
【発明の詳細な説明】
【技術分野】
【０００１】
本発明は、消しゴムなどでは消せない筆記描線やコピー描線等を消去・修正するために使用される変色性感圧転写修正テープおよびそれを装着した転写具に関する。更に詳細には、水等の揮発性液体を吸液することにより、修正被覆層が透明化又は半透明化する感圧転写修正テープおよびそれを装着した転写具に関する。
【背景技術】
【０００２】
従来、ボールペン、万年筆、サインペン、タイプライターなどで書いた消しゴムなどでは消せない筆記描線や、ＰＰＣコピーなどコピー描線等を消去・修正する際には、一般に修正液や自動巻き取り機構を持ったカセットタイプの感圧転写修正テープが提供されている。しかしながら、修正液でこのような誤字などを修正した際には、修正液の乾燥時間が長く、また、修正箇所が平滑になり難いため再筆記・再印字し難いという問題があった。
【０００３】
自動巻き取り機構を持ったカセットタイプの感圧転写修正テープの転写具は、基本的には、カセットと、感圧転写修正テープの供給リールおよび巻き取りリールと、感圧転写修正テープを被修正面に押しつけるための転写ヘッドとから構成されている。ヘッドを被修正面に押しつけた状態で自動巻き取り機構を持った転写具を動かすと、供給リールから感圧転写修正テープが繰り出され、順次ヘッドで被修正面に押圧され粘着層側で接着されていく。一方、支持体はヘッドを通過した後、感圧転写層（修正被覆層と粘着層の積層物）から分離され、巻き取りリールに巻取られる。被修正面の修正部分への感圧転写層の転写が終了した時点でヘッドを被修正面に強く押しつけたのち自動巻き取り機構を持った転写具を持ちあげると、感圧転写層が切断され、修正操作が完了する。被修正面に転写された感圧転写層の修正被覆層上にはボールペンなどの筆記具で文字などを書くことができる。
【０００４】
しかしながら、従来の感圧転写修正テープを装着する自動巻き取り機構を持った転写具を用いて感圧転写した際に、転写ヘッドを被修正部分に接近させると、その転写ヘッド自体が障害物となって、その被修正部分が作業者から確認することができなくなり、被修正部分に対して正確に修正塗膜を転写することができず、複数回の塗付作業が必要となったり、或いは、一旦塗布された修正塗膜を部分的に剥離しなければならないという欠点があった。そのため、転写具の転写ヘッドを透明にする提案もなされているが（特許文献１）、転写ヘッドを透明にしたとしても、修正被覆層がその本来の目的から白色不透明であるため、視野を遮り、被修正部分を確認することは容易ではなく、上記の問題点を解決するに到っていない。
【特許文献１】特開平９−１５６２９８号公報
【発明の開示】
【発明が解決しようとする課題】
【０００５】
本発明は、上記従来のものの有する欠点を改良するものであり、感圧転写層を被修正部分に正確に転写することが可能で、しかも、修正操作終了後直ぐに再筆記可能な感圧転写修正テープを提供することを課題とする。また、本発明は、転写具を使用する際の被修正部分に対する転写終了位置の確認が容易で、細かい部分に感圧転写層を正確に転写することができる転写具を提供することを課題とする。
【課題を解決するための手段】
【０００６】
本発明者は、感圧転写修正テープを自動巻き取り機構を持った転写具に装着して使用する場合の課題に着目し、従来の感圧転写修正テープとしての性能を十分に満足させつつ、かつ、感圧転写層を被転写部分に正確に転写できる感圧転写修正テープを得るべく鋭意研究を重ねた結果、従来の修正被覆層と粘着層との間に多孔性粒子含有層を形成することにより上記課題を解決できることを見出し、本発明に到達した。
【０００７】
すなわち、本発明は下記のとおりである。
１）透明シート状支持体の片面に、直接又は離型層を介して修正被覆層と粘着層が順次積層されてなる感圧転写層を有する感圧転写修正テープであって、前記修正被覆層が、隠蔽性顔料及びバインダー樹脂を含む第１修正被覆層（支持体側）と、多孔性粒子及びバインダー樹脂を含み、揮発性の液体を吸液すると透明化又は半透明化する第２修正被覆層（粘着層側）とから構成されてなり、前記第１修正被覆層と第２修正被覆層との厚み比が１：３〜１：４０の範囲で、かつ、修正被覆層の総厚みが１１〜６０μｍであることを特徴とする感圧転写修正テープ。
【０００８】
本発明の感圧転写修正テープは、自動巻き取り機構を持ったカセットタイプの転写具などに搭載することができ、その種類は特に限定されるものではない。転写ヘッドは透明、半透明、不透明のいずれであってもよいが、テープガイド越しに作業位置を確認できるなどの点より、転写ヘッドを透明又は半透明にした転写具に搭載するのがよい。
【０００９】
したがって、本発明は、転写具容器内に内蔵されると共に、互いに噛合する供給ギアと巻き取りギアとの駆動により、前記転写具の先端に配設される転写ヘッドに対して、供給リールカラーに巻回される未使用の感圧転写修正テープを送り出し巻き取りリールカラーに巻回する転写具であって、前記転写ヘッドが透明又は半透明であり、上記１）記載の感圧転写修正テープを装着してなることを特徴とする転写具を提供する。
【発明の効果】
【００１０】
本発明によれば、感圧転写修正テープの第２修正被覆層が吸液により透明化又は半透明化するので、被修正部分の確認が容易となり、感圧転写層を被修正部分に正確に転写することができると共に、第１修正被覆層表面は乾燥状態であるので、吸液した液体の蒸発を待つことなく、修正操作終了後直ぐにボールペンなどの筆記具で文字などを書くことができる。
【００１１】
また、上記の感圧転写修正テープを装着した転写具によれば、転写ヘッドがその先端部両側に設けられた転写テープガイドを含めて透明であるので、作業者はその透明の転写テープガイド越しに作業位置の確認並びに被修正部分に対する転写終了位置の確認が容易となるので、細かい部分に確実に感圧転写層を転写することができる。
【発明を実施するための最良の形態】
【００１２】
以下、本発明について詳細に説明する。本発明の感圧転写修正テープは、透明シート状支持体の片面に、直接又は離型層を介して修正被覆層と粘着層が順次積層されてなる感圧転写層を有する感圧転写修正テープであって、前記修正被覆層が、隠蔽性顔料及びバインダー樹脂を含む第１修正被覆層（支持体側）と、多孔性粒子及びバインダー樹脂を含む第２修正被覆層（粘着層側）とから構成されてなり、前記第２修正被覆層に揮発性の液体を吸液させることにより、修正被覆層が透明化又は半透明化するものである。揮発性の液体としては、安全性、コスト、簡易性から水が好適に用いられる。
【００１３】
図１は本発明の感圧転写修正テープの構成例を示す断面模式図である。感圧転写修正テープ１は、透明シート状支持体２の片面に第１修正被覆層３ａ、第２修正被覆層３ｂの２層の修正被覆層からなる修正被覆層３を有し、修正被覆層３の上に粘着層４を有している。
【００１４】
支持体は透明シート状のものが使用される。図２に転写具への装着例を示すように、感圧転写層を転写した後の支持体は、転写ヘッド１４に巻回されるため、転写時には支持体を通して未使用の感圧転写修正テープを視認することになる。支持体が不透明の場合は、作業位置の確認および被修正部分に対する転写終了位置の確認が困難となり、転写精度を落とすことになり好ましくない。
【００１５】
支持体としては、プラスチック基材や紙基材の何れでもよく、プラスチック基材としては、例えば、ポリエチレンテレフタレート等のポリエステルフィルム、ポリプロピレンフィルムやポリエチレンフィルム等のポリオレフィンフィルム等を挙げることができる。透明性に優れる点よりプラスチック基材が好ましく、なかでもポリエステルフィルムがより好ましい。また、支持体の片面もしくは両面には、所望に応じてシリコーン樹脂や無機あるいは有機顔料を分散させたシリコーン樹脂などの離型層を形成することもできる。
【００１６】
支持体の厚さは、感圧転写修正テープとしての機能を損なわない観点から３〜６０μｍの範囲が好ましく、より好ましくは３〜３０μｍの範囲、更に好ましくは１０〜２５μｍの範囲である。
【００１７】
本発明の感圧転写修正テープにおける第１修正被覆層は、隠蔽力のある顔料（隠蔽性顔料）と、バインダーとしての高分子樹脂等と、溶剤あるいは水とよりなる分散体を支持体に塗布して形成するものであり、従来の感圧転写修正テープの場合と異ならない。第１修正被覆層には、本発明の目的を損なわない範囲で、後記する多孔性粒子が含まれていてもよい。
【００１８】
隠蔽力のある顔料としては、ルチル型、アナターゼ型の二酸化チタン、炭酸カルシウム、炭酸マグネシウム、ケイ酸マグネシウム、二酸化ケイ素、アルミナシリケート等が挙げられるが、隠蔽力が優れている点から特に二酸化チタンが好ましい。隠蔽性顔料は、それぞれ単独で又は２種以上を混合して使用することもできる。これらの顔料及び高分子樹脂を、溶剤あるいは水に所定の割合で混合分散させて、分散体を得る。溶剤としては有機溶剤系でも、水性でも何れでもよい。また分散体には、その他所望に応じ、種々の着色剤や種々の添加剤等を、本発明の目的を損なわない範囲で適宜選択して混合することができる。
【００１９】
第１修正被覆層の厚さは、修正テープの透明性を損なわずかつ転写直後に再筆記でき、乾燥後において、修正時における隠蔽性を確保するために１〜１０μｍの範囲とするのが好ましく、より好ましくは３〜８μｍの範囲がよい。
【００２０】
本発明の感圧転写修正テープにおける第２修正被覆層は、該修正被覆層を構成する多孔性粒子と、必要に応じて用いられる上記した隠蔽力のある顔料（隠蔽性顔料）と、バインダーとしての高分子樹脂等と、溶剤あるいは水とよりなる分散体を、第１修正被覆層上に塗布して形成するものである。第２修正被覆層は吸液状態で透明化又は半透明化する。
【００２１】
上記の多孔性粒子としては、吸液状態で透明化又は半透明化するものであれば特に制限されるものではなく、例えば微粒子状シリカ、ケイ酸アルミニウム、炭酸マグネシウム等の多孔性無機粒子、架橋型ポリメタクリル酸メチル等の多孔性有機粒子が挙げられる。これらの多孔性粒子は、それぞれ単独で又は２種以上を混合して使用することもできる。前記の多孔性粒子の中でも、透明化及び隠蔽力に優れている点より、ケイ酸アルミニウム、微粒子状シリカが好ましい。多孔性粒子は、屈折率が１．４〜１．７の範囲にあるものがよい。多孔性粒子の粒径は特に限定されるものではないが、０．０５〜２０μｍのものが好適に用いられる。
【００２２】
第２修正被覆層を構成する顔料全体に占める多孔性粒子の割合は、５質量％（以下、「％」と省略する）以上とするのが好ましい。５％未満では吸液状態で修正被覆層が透明化又は半透明化するものの、実用的な被修正部分の確認性を得ることができなくなる。一方、多孔性粒子の種類によっては、多孔性粒子の割合が多すぎると修正テープの隠蔽力が低下することがあるため、顔料粒子中の多孔性粒子の割合を好ましくは５０〜９５％、より好ましくは６０〜９０％とし、残りを隠蔽力のある顔料にすることが望ましい。
【００２３】
上記した分散体は、多孔性粒子、バインダーとしての高分子樹脂等、及び必要に応じて使用される隠蔽性顔料を、溶剤あるいは水に所定の割合で混合分散させて得る。溶剤としては有機溶剤系でも、水性でも何れでも良い。また分散体には、その他所望に応じ、種々の着色剤や種々の添加剤等を、本発明の目的を損なわない範囲で適宜選択して混合することができる。
【００２４】
第２修正被覆層の厚さは、吸液状態において透明性を確保するためにかつ乾燥後において隠蔽性を確保するために１０〜５０μｍの範囲とすることが好ましく、より好ましくは１５〜４５μｍの範囲がよい。
【００２５】
第１修正被覆層及び第２修正被覆層に用いられるバインダーとしての高分子樹脂としては、例えばスチレン−ブタジエン共重合体、ネオプレン樹脂、ポリイソブチレン樹脂、アクリル系樹脂、ポリアクリル酸エステル、ポリ酢酸ビニル、エチレン−酢酸ビニル共重合体、スチレン−エチレン−ブチレン−スチレン共重合体、飽和または不飽和の脂環族炭化水素樹脂等が挙げられる。
【００２６】
顔料粒子とバインダーとしての高分子樹脂との割合は、特に限定されず、第２修正被覆層の場合には、該修正被覆層が吸液状態で透明又は半透明化する範囲で選択すればよい。重量比で、顔料粒子：バインダー＝２．５：１〜７．０：１とするのが好ましく、より好ましくは３．０：１〜５．０：１である。バインダーに対する顔料粒子の割合が２．５未満の場合は、修正被覆層への吸液性が悪くなり、転写時に塗膜が伸びて所望とする箇所で切断し難くなる。７．０を超える場合は、転写時に塗膜にクラックが入り易くなる。また、転写後の塗膜表面に顔料粉が析出するチョーキング現象が発生し易くなる。
【００２７】
本発明の感圧転写修正テープにおいて、修正被覆層の総厚み（第１修正被覆層と第２修正被覆層の合計厚み）は１１〜６０μｍであり、好ましくは１８〜５０μｍ、より好ましくは２５〜５０μｍである。第１修正被覆層と第２修正被覆層の厚み比は、１：３〜１：４０の範囲である。第１修正被覆層は主修正被覆層で、隠蔽性及び再筆記性に寄与するのに対し、第２修正被覆層は補助修正被覆層として、透明性確保と隠蔽性に寄与する。修正被覆層の総厚みは、１１μｍ以上であれば十分な隠蔽性を確保することができ、６０μｍ以下であれば修正被覆層の透明化性を確保することができる。また、第１修正被覆層に対する第２修正被覆層の厚み比が３未満の場合は、修正被覆層の総厚みに占める第２修正被覆層の比率が低く第１修正被覆層の占める比率が高くなるため、修正被覆層の透明化性を確保するのが難しくなる。一方、前記の厚み比が４０を超える場合は、修正被覆層の総厚みに占める第２修正被覆層の比率が高く第１修正被覆層の占める比率が低くなるため、隠蔽性が不十分となったり再筆記性が不良になったりする。
【００２８】
本発明の感圧転写修正テープにおける粘着層としては特に限定されず、粘着剤を従来公知の方法で塗工することにより形成される。粘着剤としては公知のものを全て使用することができ、例えば、アクリル樹脂系、ロジン系、ゴム系、ビニル系などの粘着剤を挙げることができるが、初期の透明性にも経時的な透明性にも優れるアクリル樹脂系粘着剤が好ましい。これらの粘着剤は溶剤系でも水性でも何れでも良い。粘着層の厚さは乾燥後において０．３〜５μｍ、好ましくは０．５〜１．５μｍ程度が適当である。
【実施例】
【００２９】
以下、実施例及び比較例を用いて本発明を更に具体的に説明するが、本発明は以下の実施例のみに限定されるものではない。各例中、特に言及しない限り、部は質量基準である。
【００３０】
（実施例１）
両面が剥離処理された厚み２５μｍのポリエチレンテレフタレートフイルム上に、粒子径０．２７μｍの二酸化チタン（商品名：チタニックスＪＲ−８００、テイカ社製）３０部、粒子径４．８μｍの炭酸カルシウム１０部、炭化水素系有機溶剤４０部、トルエン５部、バインダー樹脂（スチレン−エチレン−ブチレン−スチレン共重合体）５部、バインダー樹脂（脂環族炭化水素樹脂）５部、分散剤としてポリアミノアマイドと酸エステル塩（商品名：Ｄｉｓｐｅｒｂｙｋ−１０１、ビックケミー社製）２部、を均一に混合攪拌してなる分散体を厚みが１μｍになるように塗工し、第１修正被覆層を得た。この第１修正被覆層上に、粒子径５．０μｍの多孔性ケイ酸アルミニウム（商品名：アルミニウムシリケートＰ−８２０、独国デグッサ社製、屈折率１．４６〜１．４８）４０部、粒子径４．８μｍの炭酸カルシウム１０部、炭化水素系有機溶剤４０部、トルエン５部、バインダー樹脂（スチレン−エチレン−ブチレン−スチレン共重合体）５部、バインダー樹脂（脂環族炭化水素樹脂）５部、分散剤としてポリアミノアマイドと酸エステル塩（商品名：Ｄｉｓｐｅｒｂｙｋ−１０１、ビックケミー社製）２部、を均一に混合攪拌してなる分散体を厚みが４０μｍとなるように塗工し、第２修正被覆層を得た。さらにこの修正被覆層上に、アクリル系粘着剤を厚みが１μｍ以下となるように塗工し感圧粘着層を積層させ、感圧転写修正テープを得た。
【００３１】
（実施例２）
両面が剥離処理された厚み２５μｍのポリエチレンテレフタレートフイルム上に、粒子径０．２５μｍの二酸化チタン（商品名：チタニックスＪＲ−６００Ａ、テイカ社製）３０部、粒子径４．８μｍの炭酸カルシウム１０部、水４０部、アクリル系エマルジョン樹脂（固形分４７％）２０部、分散剤（商品名：Ｄｉｓｐｅｒｂｙｋ−１９２、ビックケミー社製）３部、を均一に混合攪拌してなる分散体を厚みが１０μｍとなるように塗工し、第１修正被覆層を得た。この第１修正被覆層上に、粒子径４．０〜５．３μｍの多孔性球状シリカ（商品名：ゴットボールＡＦ−１６Ｃ、鈴木油脂社製、屈折率１．５）３０部、粒子径４．８μｍの炭酸カルシウム１０部、水４０部、アクリル系エマルジョン樹脂（固形分４７．０％）２０部、分散剤（商品名：Ｄｉｓｐｅｒｂｙｋ−１９２、ビックケミー社製）３部、を均一に混合攪拌してなる分散体を厚みが３０μｍとなるように塗工し、第２修正被覆層を得た。さらにこの修正被覆層上に、アクリル系粘着剤を厚みが１μｍ以下となるように塗工し感圧粘着層を積層させ、感圧転写修正テープを得た。
【００３２】
（実施例３）
表１に示す塗工液組成に従い、二酸化チタンおよび炭酸カルシウムの配合量を変えた以外は実施例１と同様の実験条件で、厚さ４μｍの第１修正被覆層を得た。この第１修正被覆層上に、多孔性ケイ酸アルミニウムおよび炭酸カルシウムの配合量を変えた以外は、表１に示す塗工液組成に従い実施例１と同様の実験条件で、厚さ３５μｍの第２修正被覆層を得た。さらにこの修正被覆層上に、アクリル系粘着剤を厚みが１μｍ以下となるように塗工し感圧粘着層を積層させ、感圧転写修正テープを得た。
【００３３】
（実施例４）
表１に示す塗工液組成に従い、二酸化チタンおよび炭酸カルシウムの配合量を変えた以外は実施例２と同様の実験条件で、厚さ７μｍの第１修正被覆層を得た。この第１修正被覆層上に、多孔性球状シリカおよび炭酸カルシウムの配合量を変えた以外は、表１に示す塗工液組成に従い実施例２と同様の実験条件で、厚さ３２μｍの第２修正被覆層を得た。さらにこの修正被覆層上に、アクリル系粘着剤を厚みが１μｍ以下となるように塗工し感圧粘着層を積層させ、感圧転写修正テープを得た。
【００３４】
（実施例５）
表１に示す塗工液組成に従い、実施例１と同様の実験条件で、厚さ４μｍの第１修正被覆層を得た。この第１修正被覆層上に、表１に示す塗工液組成に従い、実施例１と同様の実験条件で、厚さ２０μｍの第２修正被覆層を得た。さらにこの修正被覆層上に、アクリル系粘着剤を厚みが１μｍ以下となるように塗工し感圧粘着層を積層させ、感圧転写修正テープを得た。
【００３５】
（比較例１）
両面が剥離処理された厚み２５μｍのポリエチレンテレフタレートフイルム上に、実施例１で用いたものと同じ、二酸化チタン３０部、炭酸カルシウム１０部、炭化水素系有機溶剤４０部、トルエン５部、バインダー樹脂（スチレン−エチレン−ブチレン−スチレン共重合体）５部、バインダー樹脂（脂環族炭化水素樹脂）５部、分散剤としてポリアミノアマイドと酸エステル塩２部を均一に混合攪拌してなる分散体を、厚みが２８μｍとなるように塗工し、修正被覆層を得た。さらにこの修正被覆層上に、アクリル系粘着剤を厚みが１μｍ以下となるように塗工し感圧粘着層を積層させ、感圧転写修正テープを得た。
【００３６】
（比較例２〜比較例５）
第１修正被覆層と第２修正被覆層の厚みを表１のように変更した以外は、実施例１と同様の条件で感圧転写修正テープを得た。
【００３７】
実施例１〜５及び比較例１〜５で得られた感圧転写修正テープについて、次の方法により性状および性能を評価した。
【００３８】
（修正被覆層の厚さ）
次の方法により測定した。感圧転写修正テープを液体窒素中で凍結させた後に、修正被覆層を支持体から切断して試料を作製し、走査型電子顕微鏡により該試料の断面写真（倍率２０００倍）をとり、６μｍの間隔で２０箇所の厚さを測定し、その平均値として求めた。
【００３９】
（印刷文字の視認性）
感圧転写修正テープを、図２に示す透明樹脂製の転写ヘッドが配設された転写具「商品名：修正テープモノＰＬ（(株)トンボ鉛筆製）」に搭載し、感圧転写修正テープの側面断面より水を染み込ませ、以下の基準により評価した。
○：修正塗膜が水を含んで透明化する。この修正塗膜を、文字が印刷された紙へ転写        したときに、通常の使用操作であっても転写ヘッド１４の裏側にある印刷文字が        視認でき、修正塗膜を転写終了とさせたい位置で修正操作を完了することができ        る。
×：水を含んだ修正塗膜を、文字が印刷された紙へ転写したときに、通常の使用操作        で転写ヘッド１４の裏側にある印刷文字を視認できず、修正塗膜を転写終了とさ        せたい位置で修正操作を完了することができない
【００４０】
（転写直後の再筆記性）
修正操作完了後直ちに、転写層上に油性ボールペン「ＢＩＺＮＯ」（トンボ鉛筆社製）を用いて筆記した。
○：筆記可能
△：筆記線がかすれ、転写層が一部剥がれる
×：筆記不能
【００４１】
（隠蔽性）
アプリケーターを用いて黒色紙に各分散体を均一に塗布した後乾燥させ、得られた塗膜の隠蔽状態を観察し、次の基準に従って評価した。
○：紙面の黒色が視覚されない。
△：紙面の黒色が若干視覚される。
×：紙面の黒色が視覚される。
【００４２】
感圧転写修正テープの性状および評価結果を表１にまとめて示した。
【００４３】
【表１】
2006068962.tif 000003
【００４４】
表１の結果から、本発明の感圧転写修正テープは、印刷文字の視認性、転写直後の再筆記性及び隠蔽性に優れていた。これに対し、第１修正被覆層のみで構成された感圧転写修正テープは、印刷文字の視認性が不良であった。また、修正被覆層の総厚みが範囲外の場合、第１修正被覆層と第２修正被覆層の厚み比が範囲外の場合は、いずれも本発明の目的を達成することができなかった。
【図面の簡単な説明】
【００４５】
【図１】本発明の感圧転写修正テープの構成例を示す断面模式図である。
【図２】本発明の転写具の一実施形態を示す外観図である。
【符号の説明】
【００４６】
１  感圧転写修正テープ
２  透明シート状支持体
３  修正被覆層
３ａ  第１修正被覆層
３ｂ  第２修正被覆層
４  粘着層
５ａ  隠蔽性顔料
５ｂ  多孔性粒子
６  バインダー樹脂
１１  転写具
１２  転写具本体
１３  開口部
１４  転写ヘッド
１５  ガイド
１６  弾性舌片
１７  スライド式キャップ
【図１】
2006068962.tif 000004
【図２】
2006068962.tif 000005